(57)【特許請求の範囲】
【請求項１】
柔軟性基材シートの少なくとも一方の面に、
異形断面形状を有するポリアミド成分とポリエステル成分とを接合した単糸繊度が１デニール以下の分割型複合繊維を細繊度化せしめた繊維を含む編織物を貼り付けたマウスパッドであって、
当該編織物は、前記細繊度化せしめた繊維はフィラメントで、主としてポリアミド成分が収縮沈降した内層部と主としてポリエステル成分が浮き上がりループが形成された表層部とからなる層状構造を構成し、内層部にて表層部のポリエステルフィラメントと内層部のポリアミドフィラメントが交絡され、前記浮き上がったポリエステル成分に起毛処理を施したものであるマウスパッド。
【請求項２】
前記編織物は、前記分割型複合繊維を緯糸に用い、単糸繊度１デニール以上の繊維を経糸に用いた織物である請求項１記載のマウスパッド。
【発明の詳細な説明】
【０００１】
【発明の属する技術分野】
本発明は、マウスパッドに関し、更に詳しくはコンピューターやワープロ作動に使用するマウスパッドを提供する。
【０００２】
【従来の技術】
従来、パーソナルコンピューターやワープロの操作において、キーボードの機能の幾つかを作動させる便利な手段としてマウスと称される操作治具が広く使用されている。これらマウスにおいては、その中に内蔵されている硬質ゴム製のボールを机面に接触させて任意の方向にマウスを動かすことによってボールに回転力を与え、このボールの回転方向を信号に変換させてコンピューターを動作させている。
【０００３】
上記マウスの使用に際しては、マウスの動きをボールの回転に正確に変換する為には、机上でボールが滑ることのないように机面とボールとの間にある程度の摩擦が要求される。又、マウス内に埃等が溜るとボールの回転性及びその動きの伝達性が低下するので、ボールが机面の埃等を拾わないことが重要である。この様な目的で従来は机の上に置き、その上でマウスを作動させる為のマウスパッドが種々発明及び使用されている。
上記従来のマウスパッドの例としては、ある程度の可撓性を有するプラスチック又はゴムシートであって、その表面に微細な凹凸を設けたもの、或いはスボンジ状シートの表面に織布又は編布等を接着させたもの等が挙げられる。
【０００４】
上記の従来のマウスパッドの場合において、プラスチック又はゴムシートの場合には、長期の使用によって微細凹凸が消滅してマウスの動きを正確にボールに伝えることが出来なくなる。また、シートに包含されている可塑剤が表面に浸出して埃等を拾い、該埃がボールを経てマウスの内部機構に付着し、コンピューターの作動不良を生じるという問題がある。
【０００５】
一方、スボンジシートの表面に織布を貼り合わせたものは使用中に織布を構成している繊維がほつれて繊維屑が発生し、前記ほつれた繊維がマウスボールに拾われて同様に作動不良を生じるという問題があり、いずれにしても時折マウスを解体して内部を清掃しなければならないという問題がある。
【０００６】
かかる課題を解決すべく、実開平７−２５４２３号公報に開示されるマウスパッドが提案されている。前記考案は、柔軟性シートの少なくとも一方の面に、天然繊維又は再生繊維を含む撚り糸を網目状に織成又は編成した織布又は編布を積層してなることを特徴とするマウスパッドである。
【０００７】
上記考案のマウスパッドの場合には、網目状に織成された織布がマウスボールとの摩擦を生じて、マウスの動きをマウスボールに正確に伝える。又、マウスボールが表面が多少湿った感触に形成されていて埃を拾い易い表面状態を有し、事実埃を拾うが、拾われた埃が上記網目状に織成された織布の撚り糸に移り易く、ボールが常に清浄な状態に維持される。又、織布を構成している繊維は天然繊維又は再生繊維であるので常に幾分かの水分を吸着しており、織布自体が帯電によって埃を集めることがない、というものである。
【０００８】
【発明が解決しようとする課題】
しかしながら、上記考案のマウスパッドでは、織布自体が埃を集めることがないという効果は発現するが、織布の構造自体に着目すると、マウスボールの接触面は撚りが掛かってはいるものの天然繊維であるがために、少々の強めの撚りを掛けたところで、現実にマウスを使用すると長期間の使用の間に短繊維の脱落は免れず、脱落した短繊維が埃となるいわゆる自己発塵が発生し、マウスボールにその埃が拾われて作動不良を生じるという問題が発生する。
さらに、撚りが強いとはいえ天然繊維であるがために摩擦強度不足は否めず、長期間の使用に耐えることはできず、経済性にも問題があった。
従って本発明の目的は、上記考案の問題点を解決し、長期使用してもマウスのボールを正確に回転させ、マウス内部に埃等を持ち込ませず、コンピュータ一に作動不良を生じない新規なマウスパッドを提供することである。
【０００９】
【課題を解決する為の手段】
上記の目的は、以下の本発明によって達成される。即ち、本発明の請求項１に係る発明は、柔軟性基材シートの少なくとも一方の面に、異形断面形状を有するポリアミド成分とポリエステル成分とを接合した単糸繊度が１デニール以下の分割型複合繊維を細繊度化せしめた繊維を含む編織物を貼り付けたマウスパッドであって、この編織物は、細繊度化せしめた繊維はフィラメントで、主としてポリアミド成分が収縮沈降した内層部と主としてポリエステル成分が浮き上がりループが形成された表層部とからなる層状構造を構成し、内層部にて表層部のポリエステルフィラメントと内層部のポリアミドフィラメントが交絡され、前記浮き上がったポリエステル成分に起毛処理を施したものであるマウスパッドである。そして、請求項２に係る発明は、分割型複合繊維を緯糸に用い、単糸繊度１デニール以上の繊維を経糸に用いた織物であることを特徴とする請求項１記載のマウスパッドである。
【００１０】
【発明の実施の形態】
次に、図面に示す本発明の一実施例について記載する。
本発明のマウスパッドは、マウス（３）とともにその斜視図を図３に示すように、基材シートである柔軟性シート（１）の少なくとも一方の面に、合成繊維フィラメントを用いて織成又は編成した織編物（２）を貼り付けてなるものである。
【００１１】
本発明において使用する柔軟性シート（１）は机上に置いた場合、机面に追従し得る程度の可撓性を有するものであればいかなる材料でもよいが、好ましい具体例としては、例えば、軟質塩化ビニル樹脂、エチレン・酢酸ビニル共重合体、エチレン・塩化ビニル共重合体、各種熱可塑性エラストマー、合成あるいは天然ゴム、これらの混合物からなるシートが挙げられる。これらのシートの厚みは通常１〜５ｍｍ程度であり、形状は特に限定されないが、Ａ５版、Ａ６版、Ｂ５版、Ｂ６版程度の矩形が一般的である。これらの基材シートは押出成形、カレンダー成形等で極めて容易に成形することができる。
【００１２】
上記柔軟性シート（１）の織編物（２）を積層する面には、必要に応じて図示していないクッション層を設けてもよい。この様なクッション層は発泡剤含有塩化ビニル樹脂ペースト等を塗布及び発泡成形する等の方法で容易に積層することができる。
【００１３】
織編物（２）は、単糸繊度１デニール以下の合成繊維フィラメントを用いて織成又は編成した繊維構造物であって、合成繊維フィラメントとは、ナイロン６、ナイロン６６等のポリアミド、ポリエチレンテレフタレート、ポリブチレンテレフタレート、その共重合体等のポリエステル、ポリアクリル等の合成高分子重合体からなるものを挙げることができるが、後述の如く、ポリアミドとポリエステルの両成分を用いることが好ましい。
【００１４】
ここで、天然繊維である綿、亜麻等は、短繊維であるため毛羽が発生する。更に、絹等は細繊度であるが、引裂強力が低く、マウス使用に際してはその耐久性が問題となる。よって、引裂強力の大きい、合成繊維フィラメント、ポリエステル、ポリアミド等が好ましいわけである。
【００１５】
更に、本発明で用いる合成繊維は、単糸繊度が２デニール以下、より好ましくは１デニール以下のものを用いると良く、単糸繊度１デニール以下の繊維は、直接目的の細繊度糸を紡糸したものであっても、物性の異なる２種のポリマーよりなる複合繊維を溶解や分割（フィブリル化）等の手段により細繊度化したものでも構わないが、特に溶解や分割により細繊度化する場合は、細繊度化後に０．２デニール以下の繊維が主成分となるものが好ましい。
【００１６】
かかるフィブリル化型複合繊維としては、例えば、図２に示すような種々の異形断面形状を有するものが公知である。ここで、異形断面とは、円断面以外のものをいい、例えば、楕円、多角形等をいうものである。図２に示されたものは、単一フィラメントの任意の横断面において、ポリアミド成分とポリエステル成分とが一方の成分を他方の成分が完全に包囲することなく両成分が接合された形状を有する複合繊維であり、具体的には横断面がサイドバイサイド型の複合繊維（図２（Ｄ））、サイドバイサイド繰り返し型の複合繊維（図２（Ｅ））、放射型の形状を有する部分と該放射部を補完する形状を有する他の成分からなる複合繊維（図２（Ａ）、図２（Ｂ））、該形状に中空部分を設けた複合繊維（図２（Ｃ））等である。
【００１７】
前記のフィブリル型複合繊維を用いた織物の一例としては、ポリアミドとポリエステルとを接合した分割型複合繊維を緯糸に用い、単糸繊度１デニール以上のポリエステル繊維等を経糸に用いて、製織し、その後、該織物を、ポリアミド膨潤剤例えばベンジルアルコール溶液中に浸漬し、次いで熱処理することにより、複合繊維のフィブリル化とポリアミド成分の収縮したものが挙げられる。このような一連の処理により緯糸である複合繊維のポリアミド成分が内層部まで収縮沈降し、表層部には実質的にポリエステル成分が浮き上がった状態で、内層部は勿論ポリエステルも残存するがポリアミド成分が収縮し緻密な組織となった層状構造を有する繊維構造物となる。このような繊維構造物においては、ポリエステル成分が浮き上がりループを形成するために、そのループにより適度な摩擦力を発現する。
【００１８】
さらに、本発明のマウスパッドにおいては、マウスのボール接触側に異形断面からなる合成繊維フィラメントを用いた編織物を貼り付けた構成としたため、繊維の断面が非円形であるがゆえに繊度をあまり小さくしなくても表面積を大きくすることができ、清掃力、耐久性や強度を上げることができる。例えば、長辺と短辺との比が１０（扁平率１０）の矩形の横断面を有する繊維の場合、表面積は繊度１ｄで約６０００ｃｍ２  ／ｇであり、０．１ｄで約１９０００ｃｍ２  ／ｇとなり、同じ繊度の円形断面の糸に比べて約２倍の表面積を有する。一般に同じ繊度の場合には、扁平率が大きいほど表面積が大きく、表面積が大きくなると対象物に対する密着性が高まり、拭き取るという観点からみた清掃力が大きくなる。かかる作用を発現させるためには、非円形であればよく、楕円のほかに三角形や四角形の多角形及びそれらに類似する横断面を有する広表面積合成繊維も密着性に優れ、本発明に好適なものである。実際には扁平率２．５以上でその効果が明瞭に現れ、５以上特に７．５以上でその効果が顕著である。もちろん扁平率は限りなく大きくできるのものではなく、実用的には４０〜６０が限界である。
【００１９】
さらに、この織物の表面に対して起毛処理を施しても、表層部のポリエステル成分が主としてカット起毛され、一方、ポリアミド成分は内層部に沈み込むため、その大部分はカット起毛されずに、起毛加工後も強力な引裂強力を有することができる。このような繊維構造物においては、浮き上がったポリエステル成分がカット起毛され、カットされた極細繊維により適度な摩擦力を発現するとともに、好適な表面感触を持つ織編物を得ることができる。
【００２０】
つまり、ポリアミドとポリエステルとを接合した分割型複合繊維の分割化（フィブリル化）とポリアミド成分の高密度化を行うことによって、しかも単なる高密度化ではなく、ポリアミド成分の沈降収縮、すなわち、ポリアミドが内層部まで収縮沈降し表層部が実質的にポリエステルからなり、内層部はポリアミドが収縮し緻密な組織となった層状構造とすることによって、引裂強力が強大で且つ表面が起毛加工された超極細繊維からなる繊維構造物を形成でき、かかる織物を織編物（２）とするものである。
【００２１】
もちろん、本発明においては、前述のポリエステル成分がループ状に浮き上がった形状を有するため、起毛処理を施さずとも、適度な摩擦力を発現できることはいうまでもない。
【００２２】
前記の実施例では織物に限定して記載したが、本願発明の効果を発現するのは該織物に限定されず、例えば編物についても同様の効果が得られることはいうまでもない。
【００２３】
ついで、かかる合成繊維フィラメントを用いた織編布を盤面布とするマウスパッドの作用について述べる。
マウスパッドは、図１にその使用状態を示すように、本発明のマウスパッドの織編物（２）側にマウス（３）を置き、これを動かすことにより、マウス（３）のボール（４）が、あらゆる方向にマウスの移動距離に応じて回転される。このとき、本発明のマウスパッドの表層部は、極細のポリエステルから主としてなるために、マウスパッドとボールとの間に適度な摩擦力を発現し、マウス（３）のボール（４）がマウスパッド上で滑りマウス内に設けた縦横の検出ローラー（５）、（６）にボールの移動状態が正しく伝達されないことが完全になくなる。
【００２４】
さらに、本発明のマウスパッドにおいては、その表層部にポリエステル成分が浮き上がった状態にあり、一方、ポリアミド成分は内層部に沈み込むため、強力な引裂強力を有しているために、繊維構造物としてその構成物である表層面のポリエステル成分が抜け落ちることがなく、この表層面によるマウスパッドとボールとの間に適度な摩擦力は長期間発現し続けることができる。
【００２５】
また、本発明のマウスパッドにおいては、合成繊維フィラメントを採用した故に、綿、亜麻のような短繊維の如く毛羽が発生することがない。さらには、ポリアミド成分が内層部に沈降収縮した繊維構造物とした故に、表層部のポリエステル成分が内層部においてポリアミド成分と交絡し、たとえ表層部のポリエステル成分の糸条に単糸切れが発生したところでその毛羽が脱落することがない。よって、マウスパッド自体から埃の要因となる物が発生することは皆無であり、それらがボールに付着することはない。
【００２６】
さらに、本発明のマウスパッドにおいては、合成繊維フィラメントを採用し、且つ、前述の如く異形断面からなる繊維構造物であるが故に、繊維の断面が非円形であり繊度をあまり小さくしなくても表面積を大きくすることができる。かかる広表面積を有するために、その表面層の極細繊維が非常に細かい塵や埃までその極細繊維により保持することができるため、例えば空中に浮遊する塵や埃がマウスパッドに付着したところで、ポリエステルフィラメントが塵や埃を保持するため、それらがボールに付着することはない。
【００２７】
さらに、本発明のマウスパッドにおいて制電加工を施した物は、前述の作用を更に高めることができる。
【００２８】
また、本発明のマウスパッドにおいては、その表面層の極細繊維の清掃作用により、万一他のマウスパッドを使用していたことによってボールが汚れていたとしても、ボールに付着していた汚れは極細繊維側に移り、ボールは本発明のマウスパッドを使用する時間に比例して、汚れは取れていくという清浄化作用を認めることができる。
【００２９】
通常のマウスボール（４）はマウスパッドとの摩擦力及びマウス内部でのボールを接触する縦横の検出ローラー（５）、（６）との摩擦力を確保するために、その表面が幾分湿った状態にあり、マウスパッド上に存在する埃を取り込む傾向があるが、本発明のマウスパッドの場合には前述の通り、塵や埃等の汚れがボールに付着することはないために、マウスボールが常に清潔な状態に保たれることができ、マウスの動きは正確にコンピュータに作動に反映されることとなる。
【００３０】
さらには、ボールが清浄化された後に、検出ローラー（５）、（６）が汚れていた場合には、幾分湿った状態にあるが為にマウスボールに検出ローラーの汚れが逆に付着し、その逆付着した汚れが、マウスパッドに拭き取られ、使用すればするほど、マウス内部の検出ローラーも清浄化され、マウスの動きは正確にコンピュータに作動に反映されることとなる。
【００３１】
【発明の効果】
以上詳述したように、本発明の請求項１に係る発明によれば、長期間に渡って、表層部の起毛形状によりマウスの移動が正確に伝達できるマウスパッドを供給できる。さらに、本発明のマウスパッドは自己発塵がない上に、ボールに付着した汚れを取り去る効果を併せ持つものである。
【００３２】
また、請求項２に係る発明によれば、上述の効果に加えて、マウスパッドの上方より万一塵や埃が降りかかってもこれを強力に保持することにより、マウスのボールに汚れを付着させず、マウスの移動が正確に伝達できるマウスパッドを供給できる。
【図面の簡単な発明】
【図１】マウスパッド及びマウスの構造を示す図である。
【図２】本発明の盤面布に用いるフィブリル化型複合繊維の横断面図である。
【図３】本発明の一実施例を示す斜視図である。
【符号の説明】
１      柔軟性シート
２      盤面布
３      マウス
４      ボール
５、６  検出ローラー
【図１】
0003616192.tif 000002
【図２】
0003616192.tif 000003
【図３】
0003616192.tif 000004